(57)【要約】【課題】作業者が収納空間の外部からでも高精度な平行状態に取付作業できるようにする。【解決手段】収納空間（Ｏ）の前面開口枠（１）へ取り付け一体化された上下一対のアウター固定溝レール（Ｍ）と、その各固定溝レール（Ｍ）の内部をスライドするインナー可動溝レール（Ｓ）と、その可動溝レール（Ｓ）の内部をスライドして、その前端又は後端へ係止した時可動溝レール（Ｓ）を固定溝レール（Ｍ）に沿ってスライドさせ得るランナー（Ｒ）と、その各ランナー（Ｒ）に連結一体化されたスライドアーム（Ａ）とを備え、そのスライドアーム（Ａ）に対する扉取付プレート（Ｂ）の垂直な回動支点軸（２）へ枢着した別個な回動角度規制用カムプレート（Ｃ）により、扉（Ｄ）を収納空間（Ｏ）の閉扉状態から９０度（α）だけ展開しない限り、その収納空間（Ｏ）の内部へ押し込み収納できないように規制した。【選択図】図１
2009035858.tif 000002
【特許請求の範囲】
【請求項１】
収納空間（Ｏ）の奥行寸法よりも短かい一定長さとして、その収納空間（Ｏ）における前面開口枠（１）の直角な角隅部へ片持ち状態に取り付け一体化された上下一対のアウター固定溝レール（Ｍ）と、
その各アウター固定溝レール（Ｍ）の内部を前後方向に沿ってスライドするインナー可動溝レール（Ｓ）と、
その各インナー可動溝レール（Ｓ）の内部を前後方向に沿いスライドして、その前端位置又は後端位置へ到達した時インナー可動溝レール（Ｓ）と係止することにより、そのインナー可動溝レール（Ｓ）を上記アウター固定溝レール（Ｍ）に沿って前後方向へスライドさせ得るランナー（Ｒ）と、
その各ランナー（Ｒ）と連結プレート（Ｊ）を介して着脱自在に連結一体化されたスライドアーム（Ａ）と、
上記収納空間（Ｏ）の前面を開閉する扉（Ｄ）の基端部に固定された上下一対の扉取付プレート（Ｂ）と、
各スライドアーム（Ａ）がランナー（Ｒ）よりも長く張り出す前端部へ、各扉取付プレート（Ｂ）のほぼ中央部を回動自在に枢着した垂直な支点軸（２）と、
前端部が各支点軸（２）を兼用して上記扉取付プレート（Ｂ）と別個な回動自在に枢着される一方、後端部が閉扉状態の突っ張り傾斜カム面（４９）として、各アウター固定溝レール（Ｍ）の前端部へ係脱自在に係止される一定長さの回動角度規制用カムプレート（Ｃ）とを備え、
各カムプレート（Ｃ）をその後端部の上記突っ張り傾斜カム面（４９）がアウター固定溝レール（Ｍ）の前端部と常時係止ロックする回動方向へ弾圧付勢すると共に、
各扉取付プレート（Ｂ）の偏心部から一体的に突設された垂直なロック解除ピン（６）の受け入れ凹溝（５３）を、上記カムプレート（Ｃ）の対応位置する中途部へ切り欠いて、
上記扉（Ｄ）を収納空間（Ｏ）の閉扉状態から支点軸（２）の廻りに９０度（α）だけ展開して、その扉取付プレート（Ｂ）側のロック解除ピン（６）により上記カムプレート（Ｃ）の突っ張り傾斜カム面（４９）を、アウター固定溝レール（Ｍ）への係止状態から解除しない限り、その扉（Ｄ）を収納空間（Ｏ）の内部へ押し込み操作できないように規制したことを特徴とする収納式回動扉のスライド機構。
【請求項２】
アウター固定溝レール（Ｍ）の前端部をカバーケース（１８）として、そのカバーケース（１８）の角隅部へ回動角度規制用カムプレート（Ｃ）の突っ張り傾斜カム面（４９）を前方から係脱自在に係止させると共に、
上記カムプレート（Ｃ）とスライドアーム（Ａ）とを、その前者の中途部に切り欠かれた円弧状の回動ガイド長孔（５１）とここへ差し込まれた後者の垂直な連繋ピン（５２）により連繋して、
上記カムプレート（Ｃ）が垂直な支点軸（２）を中心として回動ガイド長孔（５１）の開口長さ分だけ、上記スライドアーム（Ａ）と別個に回動し得るように関係設定したことを特徴とする請求項１記載の収納式回動扉のスライド機構。
【請求項３】
インナー可動溝レール（Ｓ）をアウター固定溝レール（Ｍ）よりも短かい溝形鋼の第１溝レール（Ｓ１）と、その第１溝レール（Ｓ１）よりも長い同じ溝形鋼の第２溝レール（Ｓ２）とから背中合わせ状態に溶接して、
上記第１溝レール（Ｓ１）の前端部から内向きに切り起されたストッパー片（２２）と、上記アウター固定溝レール（Ｍ）の中途部から対応的な内向きに切り起されたストッパー片（１７）とを、係脱自在に係止させる一方、
上記第２溝レール（Ｓ２）の前端部から裏向きに突出された水平な第１ピン（２７）と、上記アウター固定溝レール（Ｍ）の前端部に嵌め付け固定されたカバーケース（１８）内の受け止めフック（１９）とを、係脱自在に係止させると共に、
同じく第２溝レール（Ｓ２）の前端部から表向きに突出された水平な第２ピン（２９）と、ランナー（Ｒ）の前端部に切り欠かれたピン受け入れ凹溝（３８）とを、係脱自在に係止させたことを特徴とする請求項１記載の収納式回動扉のスライド機構。
【請求項４】
インナー可動溝レール（Ｓ）をアウター固定溝レール（Ｍ）よりも短かい溝形鋼の第１溝レール（Ｓ１）と、その第１溝レール（Ｓ１）よりも長い同じ溝形鋼の第２溝レール（Ｓ２）とから背中合わせ状態に溶接して、
上記第１溝レール（Ｓ１）の前後方向に沿い列設した上下一対の第１内向き凸条（２３）と、上記アウター固定溝レール（Ｍ）に軸支した複数の溝付き転動ローラー（１５）とを係合させる一方、
上記第２溝レール（Ｓ２）の前後方向に沿い列設した上下一対の第２内向き凸条（２４）と、ランナー（Ｒ）に軸支した複数の溝付き転動ローラー（３４）とを係合させたことを特徴とする請求項１記載の収納式回動扉のスライド機構。
【請求項５】
連結プレート（Ｊ）をランナー（Ｒ）とほぼ同じ一定長さのアングル形鋼板として、その垂直片（３９）をランナー（Ｒ）から一体的に突設された複数の水平なネジ軸（３５）へ、ナット（４０）により締結固定する一方、
スライドアーム（Ａ）の前後方向に沿って延在する複数の調整長孔（４４）を、上記連結プレート（Ｊ）の水平片（４１）から一体的に突設された複数の垂直なネジ軸（４２）へ抜き差し自在に差し込んで、ナット（４５）により締結固定したことを特徴とする請求項１記載の収納式回動扉のスライド機構。
【請求項６】
収納空間（Ｏ）における前面開口枠（１）の直角な角隅部へ取り付け一体化されるアングル形鋼板の取付ベースプレート（９）を、アウター固定溝レール（Ｍ）における前端部の裏面へ重合溶接して、
扉（Ｄ）の厚みよりも広幅な正面視のＵ字形取付座（５５）と、これと向かい合う倒立Ｕ字形の可動床（５６）とから成る扉用荷重受け金具（Ｆ）を、下側アウター固定溝レール（Ｍ）の上記取付ベースプレート（９）へ水平な支点軸（５７）によって組み付けると共に、
その水平な支点軸（５７）の廻りに昇降調整可能な上記可動床（５６）の先端部へ軸支した遊転ローラー（６１）により、扉（Ｄ）の下面に取り付け一体化された水平なシュープレート（５８）を下方から受け持つように定めたことを特徴とする請求項１記載の収納式回動扉のスライド機構。
【発明の詳細な説明】
【技術分野】
【０００１】
本発明は建物に作り付けのクローゼットや家具、洗面室、仏間、その他の一定な収納空間から引き出した閉扉状態と、その収納空間の内部へ押し込んだ開扉状態とを得られる収納式回動扉のスライド機構に関する。
【背景技術】
【０００２】
この種収納式回動扉のスライド機構については、特開２００３−７４２５１号や特開平９−２９６６５０号、実開平４−５５９７８号などの各種が提案されている。
【特許文献１】特開２００３−７４２５１号公報
【特許文献２】特開平９−２９６６５０号公報
【特許文献３】実開平４−５５９７８号公報
【発明の開示】
【発明が解決しようとする課題】
【０００３】
ところが、上記実開平４−５５９７８号を代表例に挙げて言えば、この公知考案の構成では扉（１）に袖板（２）がスライド蝶番（４）を介して枢支連結されており、しかもこれをスライド自在に案内する上部レール（７）が天板（６）へ、同じく下部レール（１１）が床面（Ｇ）のレール受け材（１２）へ、その何れも収納空間（Ｓ）における奥行方向の全長に亘って固定一体化されている。
【０００４】
そのため、１人の作業者が収納空間（Ｓ）の内部に入って、上部レール（７）と下部レール（１１）とを高精度な平行状態にすばやく取付作業することが困難であるほか、その上部レール（７）と下部レール（１１）との長い分だけ、これらの支持骨となる下地の補強材が、収納空間（Ｓ）の天板（６）や床面（Ｇ）に予じめ正しく対応位置していない事態も起りやすく、このような事態での取付作業には高度の技能と豊富な経験を要するのである。
【０００５】
その結果、上部レール（７）と下部レール（１１）とが収納空間（Ｓ）の側板（３）に対しては取り付け固定されていないこととも相俟って、扉（１）とその袖板（２）の支持強度やスライド作用の安定性に劣る。
【０００６】
又、その扉（１）には袖板（２）が付属しているため、上記公知考案のような比較的背低く軽量の両開き式（観音式）扉（１）であればともかく、背高く重量の大きな片開き式扉には適用し難い。収納空間（Ｓ）の間口寸法を一定とすれば、片開き式扉の方が両開き式扉よりも大きな奥行寸法を必要とすることになるからである。
【０００７】
更に、上記公知考案の扉（１）とその袖板（２）とは、スライド蝶番（４）を介して枢支連結されているにとどまるため、収納空間（Ｓ）から一旦引き出した扉（１）を押し込み収納する時に、その扉（１）が袖板（２）との正規な直列状態を保ち難く、袖板（２）から内外方向へ或る程度屈折していても、その屈折した変向状態から無理に押し込み操作されてしまいやすく、このような不正操作の繰り返しにより、上記蝶番（４）の取付部分から早期にガタツキや損傷などを生じるのである。
【０００８】
特に、前縁の竪枠（１９）を取り付けられない既設の収納空間（Ｓ）である場合には、上記問題が顕著に発生する結果となり、耐用性と各種収納空間（Ｓ）への対応性にも劣る。
【課題を解決するための手段】
【０００９】
本発明はこのような諸問題の抜本的な解決を目的としており、その目的を達成するために、請求項１の構成では収納空間の奥行寸法よりも短かい一定長さとして、その収納空間における前面開口枠の直角な角隅部へ片持ち状態に取り付け一体化された上下一対のアウター固定溝レールと、
【００１０】
その各アウター固定溝レールの内部を前後方向に沿ってスライドするインナー可動溝レールと、
【００１１】
その各インナー可動溝レールの内部を前後方向に沿いスライドして、その前端位置又は後端位置へ到達した時インナー可動溝レールと係止することにより、そのインナー可動溝レールを上記アウター固定溝レールに沿って前後方向へスライドさせ得るランナーと、
【００１２】
その各ランナーと連結プレートを介して着脱自在に連結一体化されたスライドアームと、
【００１３】
上記収納空間の前面を開閉する扉の基端部に固定された上下一対の扉取付プレートと、
【００１４】
各スライドアームがランナーよりも長く張り出す前端部へ、各扉取付プレートのほぼ中央部を回動自在に枢着した垂直な支点軸と、
【００１５】
前端部が各支点軸を兼用して上記扉取付プレートと別個な回動自在に枢着される一方、後端部が閉扉状態の突っ張り傾斜カム面として、各アウター固定溝レールの前端部へ係脱自在に係止される一定長さの回動角度規制用カムプレートとを備え、
【００１６】
各カムプレートをその後端部の上記突っ張り傾斜カム面がアウター固定溝レールの前端部と常時係止ロックする回動方向へ弾圧付勢すると共に、
【００１７】
各扉取付プレートの偏心部から一体的に突設された垂直なロック解除ピンの受け入れ凹溝を、上記カムプレートの対応位置する中途部へ切り欠いて、
【００１８】
上記扉を収納空間の閉扉状態から支点軸の廻りに９０度だけ展開して、その扉取付プレート側のロック解除ピンにより上記カムプレートの突っ張り傾斜カム面を、アウター固定溝レールへの係止状態から解除しない限り、その扉を収納空間の内部へ押し込み操作できないように規制したことを特徴とする。
【００１９】
又、請求項２の構成ではアウター固定溝レールの前端部をカバーケースとして、そのカバーケースの角隅部へ回動角度規制用カムプレートの突っ張り傾斜カム面を前方から係脱自在に係止させると共に、
【００２０】
上記カムプレートとスライドアームとを、その前者の中途部に切り欠かれた円弧状の回動ガイド長孔とここへ差し込まれた後者の垂直な連繋ピンにより連繋して、
【００２１】
上記カムプレートが垂直な支点軸を中心として回動ガイド長孔の開口長さ分だけ、上記スライドアームと別個に回動し得るように関係設定したことを特徴とする。
【００２２】
請求項３の構成では、インナー可動溝レールをアウター固定溝レールよりも短かい溝形鋼の第１溝レールと、その第１溝レールよりも長い同じ溝形鋼の第２溝レールとから背中合わせ状態に溶接して、
【００２３】
上記第１溝レールの前端部から内向きに切り起されたストッパー片と、上記アウター固定溝レールの中途部から対応的な内向きに切り起されたストッパー片とを、係脱自在に係止させる一方、
【００２４】
上記第２溝レールの前端部から裏向きに突出された水平な第１ピンと、上記アウター固定溝レールの前端部に嵌め付け固定されたカバーケース内の受け止めフックとを、係脱自在に係止させると共に、
【００２５】
同じく第２溝レールの前端部から表向きに突出された水平な第２ピンと、ランナーの前端部に切り欠かれたピン受け入れ凹溝とを、係脱自在に係止させたことを特徴とする。
【００２６】
請求項４の構成では、インナー可動溝レールをアウター固定溝レールよりも短かい溝形鋼の第１溝レールと、その第１溝レールよりも長い同じ溝形鋼の第２溝レールとから背中合わせ状態に溶接して、
【００２７】
上記第１溝レールの前後方向に沿い列設した上下一対の第１内向き凸条と、上記アウター固定溝レールに軸支した複数の溝付き転動ローラーとを係合させる一方、
【００２８】
上記第２溝レールの前後方向に沿い列設した上下一対の第２内向き凸条と、ランナーに軸支した複数の溝付き転動ローラーとを係合させたことを特徴とする。
【００２９】
請求項５の構成では、連結プレートをランナーとほぼ同じ一定長さのアングル形鋼板として、その垂直片をランナーから一体的に突設された複数の水平なネジ軸へ、ナットにより締結固定する一方、
【００３０】
スライドアームの前後方向に沿って延在する複数の調整長孔を、上記連結プレートの水平片から一体的に突設された複数の垂直なネジ軸へ抜き差し自在に差し込んで、ナットにより締結固定したことを特徴とする。
【００３１】
更に、請求項６の構成では収納空間における前面開口枠の直角な角隅部へ取り付け一体化されるアングル形鋼板の取付ベースプレートを、アウター固定溝レールにおける前端部の裏面へ重合溶接して、
【００３２】
扉の厚みよりも広幅な正面視のＵ字形取付座と、これと向かい合う倒立Ｕ字形の可動床とから成る扉用荷重受け金具を、下側アウター固定溝レールの上記取付ベースプレートへ水平な支点軸によって組み付けると共に、
【００３３】
その水平な支点軸の廻りに昇降調整可能な上記可動床の先端部へ軸支した遊転ローラーにより、扉の下面に取り付け一体化された水平なシュープレートを下方から受け持つように定めたことを特徴とする。
【発明の効果】
【００３４】
請求項１の構成によれば、上下一対のアウター固定溝レールが収納空間の奥行寸法よりも短かい一定長さとして、その収納空間における前面開口枠の直角な角隅部へ片持ち状態に取り付け一体化されるようになっているため、作業者にとっては必らずしも収納空間の内部に入らず、その前面開口枠の外部からでも容易に便利良く取付作業することができ、しかもアウター固定溝レールの上下一対を高精度な平行状態に保てる効果がある。
【００３５】
又、両アウター固定溝レールが収納空間の奥行寸法より短かい一定長さに取り付けられているとしても、その内部を前後方向に沿ってスライドし得るインナー可動溝レールが、更にその内部をスライドし得るランナーにより、上記アウター固定溝レールの後端部から後方へ延長状態に深く押し込み操作されるようになっているため、両開き式（観音式）の扉は勿論のこと、これより大きな奥行寸法を有する片開き式の扉であっても、これを収納空間の内部へ支障なく押し込み収納できるのである。
【００３６】
更に、収納空間から一旦引き出した扉を押し込み収納する時、その扉を垂直な支点軸の廻りに９０度だけ正しく展開しない限り、アウター固定溝レールの前端部に対する回動角度規制用カムプレートの係止突っ張り力によって、その扉を押し込み操作できないようにロックされているため、冒頭に述べた従来技術のような蝶番部分からのガタツキや損傷などを生じるおそれがなく、扉の耐用性とスライド作用の安定性が著しく向上する。
【００３７】
その場合、請求項２の構成を採用するならば、回動角度規制用カムプレートとスライドアームとを連繋状態に並列させることができ、アウター固定溝レールの前端部に対する係止状態が解除されたカムプレートを、スライドアームと一緒に安定良く押し込み又は引き出し操作し得る効果があり、そのスライド作用の円滑化に役立つ。
【００３８】
又、請求項３の構成を採用するならば、第１次的なランナーの前進スライドストローク又は後進スライドストロークや、第２次的なインナー可動溝レールの前進スライドストローク又は後進スライドストロークを一定に確保することができ、併せてインナー可動溝レールをアウター固定溝レール並びにランナーとの配列関係上、極めて合理的に作成し得る効果もある。
【００３９】
請求項４の構成を採用するならば、インナー可動溝レールをアウター固定溝レールに対して、又そのインナー可動溝レールに対してランナーを、各々円滑に安定良くスライド作用させることができる。
【００４０】
請求項５の構成を採用するならば、スライドアームの前後方向に沿う延在状態として開口分布された複数の調整長孔により、扉を収納空間の開口前面に対して進退調整することができ、その高精度な取付状態を得られる効果がある。
【００４１】
更に、請求項６の構成を採用するならば、その扉のシュープレートを下方から受け持つ荷重受け金具によって、扉の垂れ下がりや傾斜、歪みなどの不正を防止することができ、各種扉への対応性と耐用性に優れる。
【発明を実施するための最良の形態】
【００４２】
本発明に係る収納式回動扉のスライド機構は、その閉扉状態での概略全体を示す図１〜１４から明白なように、建物に作り付けのクローゼットや家具、洗面室、仏間などの一定な収納空間（Ｏ）における前面開口枠（１）の直角な角隅部へ取り付け施工される上下一対のアウター固定溝レール（Ｍ）と、その各アウター固定溝レール（Ｍ）の内部を前後方向に沿ってスライドするインナー可動溝レール（Ｓ）と、その各インナー可動溝レール（Ｓ）の内部を前後方向に沿いスライドして、その前端位置又は後端位置へ到達した時にはインナー可動溝レール（Ｓ）と係止することにより、これを上記アウター固定溝レール（Ｍ）に沿ってスライドさせ得るランナー（Ｒ）と、その各ランナー（Ｒ）と連結プレート（Ｊ）を介して連結一体化されたスライドアーム（Ａ）と、その各スライドアーム（Ａ）が上記ランナー（Ｒ）よりも長く張り出す前端部へ、共通の垂直な支点軸（２）を介して各別の回動自在に枢着された扉取付プレート（Ｂ）並びに扉（Ｄ）の回動角度規制用カムプレート（Ｃ）と、扉（Ｄ）の荷重受け金具（Ｆ）とを主要構成部材として組み立てられたものである。
【００４３】
尚、上記収納空間（Ｏ）は直方体又は立方体に造形されている。図１〜１４では要約的に説明するための便宜上、片開き式の扉（Ｄ）に適用した本発明の実施形態を示しているが、上記主要構成部材を上下一対づつ（但し、扉用荷重受け金具だけは除く。）のみならず、左右一対づつとしても増設することにより、両開き式（観音式）の扉（Ｄ）に本発明を適用実施できることは勿論である。
【００４４】
上記主要構成部材の上下一対づつは特別の説明を加えない限り、互いに実質上同一として、上下対称の配置に取り付け使用されるため、以下にその各個（単体）の具体的構成を順次詳述する。
【００４５】
〈扉取付プレート〉
先ず、扉取付プレート（Ｂ）の上下一対は図７〜９や図１２〜１４のようなアングル形鋼板から成り、その水平片（３）が扉（Ｄ）の基端部にＬ字形として開口するコーナー切欠（Ｇ）の水平面へ、垂直片（４）が扉（Ｄ）のフラットな裏面へ各々当てがわれた上、複数づつの皿ビス（５）によって取り付け固定されることとなる。
【００４６】
そして、その扉取付プレート（Ｂ）における水平片（３）のほぼ中央部には上記扉（Ｄ）の回動支点軸（２）が、又これからの一定な回動半径距離を保つ偏心部には、回動角度規制用カムプレート（Ｃ）と係脱自在に係止するロック解除ピン（６）が、何れも垂直な突出状態に各々かしめ付け一体化されている。（７）は扉（Ｄ）のコーナー切欠（Ｇ）を被覆するため、その水平面へ水平片（３）と一緒に取り付け固定される化粧カバーである。
【００４７】
〈アウター固定溝レール〉
アウター固定溝レール（Ｍ）は図１５〜２０に抽出して示すように、上記収納空間（Ｏ）の奥行寸法よりも短かい（浅い）一定長さの広幅なリップ溝型鋼から成り、これにはインナー可動溝レール（Ｓ）側の後述する溝付き転動ローラーと係合し得る上下一対の内向き凸条（８）が、前後方向に沿って列設されている。（９）はアウター固定溝レール（Ｍ）における前端部の裏面に重合溶接された取付ベースプレートであり、そのアウター固定溝レール（Ｍ）の支持強度を増すために、これよりも大きな正面視のアングル形鋼板から成る。
【００４８】
そして、上側アウター固定溝レール（Ｍ）の取付ベースプレート（９）が上記収納空間（Ｏ）における前面開口枠（１）の天井面（１０）とサイド壁面（１１）へ、下側アウター固定溝レール（Ｍ）の取付ベースプレート（９）が同じく収納空間（Ｏ）における前面開口枠（１）の床面（１２）とサイド壁面（１１）へ、各々皿ビス（１３）の複数づつによって取り付け固定されるのである。
【００４９】
つまり、アウター固定溝レール（Ｍ）はその前端部の取付ベースプレート（９）において、収納空間（Ｏ）の前面開口枠（１）へ言わば片持ち状態に取り付け固定されるようになっているため、その取付作業を作業者が収納空間（Ｏ）の内部に入らず、その前面開口枠（１）の外部からでも容易に便利良く行なえ、上下一対の高精度な平行状態も確保できるのである。
【００５０】
他方、アウター固定溝レール（Ｍ）の後端部はインナー可動溝レール（Ｓ）を受け入れやすいガイドリップ（１４）として、外向き傾斜状態に折り曲げられている。（１５）は同じくアウター固定溝レール（Ｍ）の後端部付近へ、水平なローラー支軸（１６）を介して取り付けられた複数の溝付き転動ローラーであって、硬質な合成樹脂から成り、インナー可動溝レール（Ｓ）における後述する上下一対の第１内向き凸条と係合する。
【００５１】
更に、アウター固定溝レール（Ｍ）の後端側へ偏倚した中途部からは、インナー可動溝レール（Ｓ）の押し込み終点となるストッパー片（１７）が内向きに切り起されており、後方へ押し込みスライドされるインナー可動溝レール（Ｓ）を受け止めることができるようになっている。
【００５２】
又、（１８）はアウター固定溝レール（Ｍ）の前端部に嵌め付け固定されたカバーケースであって、その鋼板から図２１〜２５のように曲成された枠内には、インナー可動溝レール（Ｓ）の引き出し終点となる受け止めフック（１９）が、水平な支軸（２０）を介して回動自在に枢着されており、これによって前方へ引き出しスライドされるインナー可動溝レール（Ｓ）を受け止めることができるようになっている。
【００５３】
（２１）はその受け止めフック（１９）をインナー可動溝レール（Ｓ）側の後述する第１ピンと係止ロックする方向へ弾圧付勢する蔓巻きコイルバネであって、上記支軸（２０）に巻き付けられており、その切り離し両端部がカバーケース（１８）と受け止めフック（１９）に各々係止されていることは、言うまでもない。
【００５４】
〈インナー可動溝レール〉
次に、インナー可動溝レール（Ｓ）は上記アウター固定溝レール（Ｍ）の内部を前後方向に沿いスライドし得る小型品として、図２６〜２９に抽出して示すようなアウター固定溝レール（Ｍ）よりも短かい一定長さを有する溝形鋼の第１溝レール（Ｓ１）と、その表面へ言わば背中合わせ状態に溶接された同じ溝形鋼の第２溝レール（Ｓ２）とから成り、その第２溝レール（Ｓ２）は上記アウター固定溝レール（Ｍ）とほぼ同じ一定長さだけ延在している。
【００５５】
そして、第２溝レール（Ｓ２）の前端側へ偏倚した中途部と対応位置する第１溝レール（Ｓ１）の前端部からは、上記アウター固定溝レール（Ｍ）側の押し込み終点となるストッパー片（１７）と係脱自在に係止するストッパー片（２２）が、やはり内向きに切り起されている。
【００５６】
又、同じく短かい一定長さの第１溝レール（Ｓ１）には、上下一対の第１内向き凸条（２３）が前後方向に沿って列設されており、この両第１内向き凸条（２３）に上記アウター固定溝レール（Ｍ）側の溝付き転動ローラー（１５）が係合する。
【００５７】
他方、アウター固定溝レール（Ｍ）とほぼ同じ一定長さの第２溝レール（Ｓ２）にも、上下一対の第２内向き凸条（２４）がやはり前後方向に沿って列設されており、これらはランナー（Ｒ）側の後述する溝付き転動ローラーと係合することになる。
【００５８】
（２５）は同じく第２溝レール（Ｓ２）の前端部付近へ、水平なローラー支軸（２６）を介して取り付けられた複数の硬質な合成樹脂製溝付き転動ローラーであり、上記アウター固定溝レール（Ｍ）における上下一対の内向き凸条（８）と係合する。
【００５９】
又、（２７）は第２溝レール（Ｓ２）の前端部へ螺合締結された水平な第１ピンであって、その第２溝レール（Ｓ２）から裏向きに突出しており、しかもそのネジ脚（２８）に被着一体化されたキャップナットが水平な第２ピン（２９）として、逆な表向きに突出している。
【００６０】
そして、その裏向きに突出する第１ピン（２７）が、上記アウター固定溝レール（Ｍ）に付属しているカバーケース（１８）側の受け止めフック（１９）と係脱自在に係止して、前方へ引き出しスライドされるインナー可動溝レール（Ｓ）を受け止めるようになっており、逆な表向きに突出する第２ピン（２９）が、ランナー（Ｒ）側の後述するピン受け入れ凹溝と係脱自在に係止する。
【００６１】
更に、第２溝レール（Ｓ２）の後端部からはランナー（Ｒ）の受け止めストッパー片（３０）が、内向きに切り起されている。
【００６２】
〈ランナー〉
ランナー（Ｒ）は上記インナー可動溝レール（Ｓ）を形作っている第１、２溝レール（Ｓ１）（Ｓ２）のうち、その第２溝レール（Ｓ２）の内部を前後方向に沿いスライドし得る扁平な小型品として、図３０〜３４に抽出して示す側面視のほぼ長方形な平鋼板のランナー本体プレート（３１）と、その表面に重合溶接された帯状の補強プレート（３２）とから成り、前後方向に沿って一定長さだけ延在している。
【００６３】
しかも、そのランナー本体プレート（３１）には裏向き水平に突出するローラー支軸（３３）を介して、複数の溝付き転動ローラー（３４）が並列設置されており、これらの硬質な合成樹脂製転動ローラー（３４）は上記インナー可動溝レール（Ｓ）の第２溝レール（Ｓ２）側における上下一対の第２内向き凸条（２４）と係合する。
【００６４】
その場合、複数の溝付き転動ローラー（３４）は言わば千鳥配置形態として、その設置上の高低差が与えられているが、その理由は上下一対の第２内向き凸条（２４）と安定良く係合させるためであり、このことは上記アウター固定溝レール（Ｍ）側の転動ローラー（１５）やインナー可動溝レール（Ｓ）側の転動ローラー（２５）についても同じ趣旨である。
【００６５】
他方、補強プレート（３２）からは複数のネジ軸（３５）が表向き水平に突設されている。（３６）はランナー本体プレート（３１）の前端部から内向き傾斜状態に折り曲げられた前ガイドエッジであって、上記アウター固定溝レール（Ｍ）側のガイドリップ（１４）と対応し、ランナー（Ｒ）がそのアウター固定溝レール（Ｍ）の内部へ円滑に受け入れられるようになっている。
【００６６】
又、（３７）は同じくランナー本体プレート（３１）の後端部からやはり内向き傾斜状態に折り曲げられた後ガイドエッジであって、上記インナー可動溝レール（Ｓ）における第２溝レール（Ｓ２）側のランナー受け止めストッパー（３０）と対応し、ランナー（Ｒ）がその第２溝レール（Ｓ２）の内部へ支障なく受け入れられるようになっている。
【００６７】
更に、（３８）はランナー本体プレート（３１）の前端中央部に切き欠かれたピン受け入れ凹溝であって、上記インナー可動溝レール（Ｓ）側の第２ピン（２９）と係脱自在に係止する。
【００６８】
〈連結プレート〉
連結プレート（Ｊ）は図３５〜４３から明白なように、上記ランナー（Ｒ）とほぼ同じ一定長さを備えたアングル形鋼板であり、その垂直片（３９）がランナー（Ｒ）側の水平なネジ軸（３５）へナット（４０）を介して締結固定されていると共に、残る水平片（４１）から一体的に突出する複数の垂直なネジ軸（４２）が、スライドアーム（Ａ）と着脱自在に締結固定されることになる。その際には、下側スライドアーム（Ａ）と水平片（４１）との相互間へ図  のような別個のスペーサープレート（４３）を介挿して、扉（Ｄ）の設置高さを調整することもできる。
【００６９】
〈スライドアーム〉
次に、スライドアーム（Ａ）は図３５〜４３に併せて示す如く、上記ランナー（Ｒ）や連結プレート（Ｊ）よりも長い一定長さの平鋼板から成り、その約後半部に開口分布された複数の調整長孔（４４）が、上記連結プレート（Ｊ）における水平片（４１）側の垂直なネジ軸（４２）へ抜き差し自在に差し込まれた上、下方からナット（４５）によって締結固定されている。その場合、調整長孔（４４）は前後方向に沿って延在しているため、扉（Ｄ）を収納空間（Ｏ）の開口前面に対して進退調整することができる。
【００７０】
そして、スライドアーム（Ａ）の前端部と上記扉取付プレート（Ｂ）の水平片（３）とは、垂直な支点軸（２）を介して枢着されているのである。（４６）は上側扉取付プレート（Ｂ）と上側スライドアーム（Ａ）との相互間に介在しつつ、上記支点軸（２）に套嵌された軸受ブッシュ、（４７）は下側扉取付プレート（Ｂ）と下側スライドアーム（Ａ）との相互間に介在しつつ、やはり支点軸（２）に套嵌された軸受ベアリングであり、扉（Ｄ）を荷重の抵抗なく円滑に回動させ得るようになっている。
【００７１】
〈カムプレート〉
扉（Ｄ）の回動角度規制用カムプレート（Ｃ）は上記収納空間（Ｏ）の閉扉時に、扉（Ｄ）を収納空間（Ｏ）への押し込み不能に突っ張り保持し、その扉（Ｄ）を上記垂直な支点軸（２）の廻りに９０度（α）だけ正しく展開することにより、上記スライドアーム（Ａ）と平面視の直列状態に整合させた開扉時に初めて、その収納空間（Ｏ）へ押し込み操作できるように規制するものである。
【００７２】
そのために、カムプレート（Ｃ）は上記スライドアーム（Ａ）の約前半部とほぼ対応する一定長さの平鋼板から、図４４〜４７に抽出して示すような輪郭形状としてプレス加工されており、その前端部（基端部）の円形な取付孔（４８）が上記スライドアーム（Ａ）と共通の垂直な支点軸（２）へ、扉取付プレート（Ｂ）との別個な回動自在に差し込み嵌合されている。その取付状態のカムプレート（Ｃ）は、上記スライドアーム（Ａ）の真下位置に並列している。
【００７３】
他方、カムプレート（Ｃ）の後端部（先端部）は閉扉状態の突っ張り傾斜カム面（４９）として、図４４、６５、７１のような平面視の鈍角に縁取り造形されており、上記アウター固定溝レール（Ｍ）の前端部を被覆しているカバーケース（１８）の角隅部へ、その前方から係脱自在に係止するようになっている。
【００７４】
（５０）は上記支点軸（２）に巻き付けられた蔓巻きコイルバネであって、その切り離し両端部が上記スライドアーム（Ａ）とカムプレート（Ｃ）へ各々係止されることにより、カムプレート（Ｃ）をその後端部の突っ張り傾斜カム面（４９）が上記アウター固定溝レール（Ｍ）のカバーケース（１９）と常時係止ロックする回動方向へ弾圧付勢している。
【００７５】
（５１）はカムプレート（Ｃ）の後端側へ偏倚した中途部に切り欠かれた円弧状の回動ガイド長孔であり、ここに差し込まれた垂直な連繋ピン（５２）を介して、そのカムプレート（Ｃ）と上記スライドアーム（Ａ）とが連繋されている。そのため、カムプレート（Ｃ）は上記支点軸（２）を中心として、その回動ガイド長孔（５１）の開口長さ分だけ上記スライドアーム（Ａ）と別個に安定良く回動し得るのである。
【００７６】
又、（５３）は上記取付孔（４８）と回動ガイド長孔（５１）との相互間に位置しつつ、カムプレート（Ｃ）に裏向き開口状態として切り欠かれたピン受け入れ凹溝であり、上記扉用取付プレート（Ｂ）の水平片（３）から一体的に突出する垂直なロック解除ピン（６）を受け入れる。
【００７７】
つまり、茲にカムプレート（Ｃ）側のピン受け入れ凹溝（５３）は、上記支点軸（２）を中心とするロック解除ピン（６）の回動半径軌跡上に沿って、円弧状に切り欠かれているわけである。
【００７８】
（５４）は同じくカムプレート（Ｃ）の中途部から上記スライドアーム（Ａ）を跨いで上向きに連続する折曲げ片であり、その折曲げ先端面が上記ピン受け入れ凹溝（５３）の溝底面（内奥部）と面一状態に保たれている。
【００７９】
その結果、上側扉取付プレート（Ｂ）の水平片（３）から上向きに突出するロック解除ピン（６）を、そのカムプレート（Ｃ）のピン受け入れ凹溝（５３）へ受け入れることができるほか、下側扉取付プレート（Ｂ）の水平片（３）から下向きに突出するロック解除ピン（６）を、同じくカムプレート（Ｃ）の折曲げ片（５４）によって安定良く受け止めることもでき、そのカムプレート（Ｃ）に互換性が与えられているのである。
【００８０】
〈扉用荷重受け金具〉
扉用荷重受け金具（Ｆ）は扉（Ｄ）の荷重を分散させ、その扉（Ｄ）の垂れ下がりや傾斜、歪みなどの不正状態を防ぐためのユニット体として、図４８〜５１に抽出して示すような扉（Ｄ）の厚みよりも広幅な正面視のＵ字形取付座（５５）と、これと向かい合う倒立Ｕ字形の可動床（５６）とから成り、その取付座（５５）が特に下側アウター固定溝レール（Ｍ）の取付ベースプレート（９）へ、図１４のように水平な支点軸（５７）を介して組み付けられている一方、扉（Ｄ）の下面には上記コーナー切欠（Ｇ）へ臨む平鋼板のシュープレート（５８）が、複数の皿ビス（５９）によって取り付け固定されている。
【００８１】
しかも、上記水平な支点軸（５７）によって可動床（５６）の後端部（基端部）が、取付座（５５）へ回動自在に枢着されていると共に、その可動床（５６）の前端部（先端部）にはやはり水平なローラー支軸（６０）を介して、硬質な合成樹脂製の遊転ローラー（６１）が取り付けられている。尚、上記可動床（５６）の回動支点軸（５７）とローラー支軸（６０）は、何れも図示のような細長い鞘管（ナット）とこれに螺合締結された固定ボルトとから成る。
【００８２】
（６２）は可動床（５６）の中央部から下向きに突出する昇降調整ネジであり、その先端部を上記取付ベースプレート（９）へ押し当てるべく進退操作することによって、上記可動床（５６）の前端部が水平な支点軸（５７）の廻りに昇降する設置高さを調整でき、その前端部の遊転ローラー（６１）によって上記扉（Ｄ）のシュープレート（５８）を下方から受け持てるようになっている。
【００８３】
（６３）はその設置高さの調整状態を維持する一対の固定ビスであり、上記遊転ローラー（６１）と昇降調整ネジ（６２）との前後相互間に位置しつつ、可動床（５６）から下側アウター固定溝レール（Ｍ）の取付ベースプレート（９）に向かって螺入締結されている。
【００８４】
本発明に係る収納式回動扉のスライド機構は、上記のような主要構成部材から成り、そのランナー（Ｒ）やインナー可動溝レール（Ｓ）が内蔵されると共に、上記カバーケース（１８）が付属一体化されているアウター固定溝レール（Ｍ）を、収納空間（Ｏ）の前面開口枠（１）へ取り付け固定する一方、扉（Ｄ）の取付プレート（Ｂ）にカムプレート（Ｃ）と併せて枢着されているスライドアーム（Ａ）を、上記ランナー（Ｒ）に付属している連結プレート（Ｊ）のネジ軸（４２）と、最後に締結固定することによって、施工現場での組立作業を支障なく行なえる。
【００８５】
そして、その収納空間（Ｏ）の閉扉状態では図５２、５６やその詳細を示す図６４、６５、７１、７２から明白なように、インナー可動溝レール（Ｓ）とランナー（Ｒ）との上下一対づつがアウター固定溝レール（Ｍ）の前端位置にあって、そのインナー可動溝レール（Ｓ）の裏向く第１ピン（２７）がカバーケース（１８）側の受け止めフック（１９）によって受け止められている一方、同じくインナー可動溝レール（Ｓ）の表向く第２ピン（２９）はランナー（Ｒ）側のピン受け入れ凹溝（３８）と係止している。
【００８６】
又、閉扉状態では扉取付プレート（Ｂ）とスライドアーム（Ａ）とが、平面視の９０度（α）だけ交叉している関係上、そのスライドアーム（Ａ）と連繋ピン（５２）を介して連繋されたカムプレート（Ｃ）は、蔓巻きコイルバネ（５０）の弾圧付勢力を受けていることとも相俟って、その後端部の突っ張り傾斜カム面（４９）が上記アウター固定溝レール（Ｍ）に付属しているカバーケース（１８）の角隅部へ、前方から係止ロックする突っ張り状態に保たれることとなり、その結果そのままでは扉（Ｄ）を収納空間（Ｏ）の内部へ押し込み操作することができない。
【００８７】
更に、扉（Ｄ）の下面をなすシュープレート（５８）は図７４のように、その扉用荷重受け金具（Ｆ）における可動床（５６）の遊転ローラー（６１）によって、下方から受け持たれた状態にあるため、垂れ下がるおそれがないことは勿論、不正に傾斜したり、歪んだりするおそれもない。
【００８８】
そして、上記収納空間（Ｏ）を開扉状態として、その扉（Ｄ）を収納空間（Ｏ）の内部へ押し込み収納する場合には、これを図５７、６６、７３のように閉扉状態から９０度（α）だけ展開すれば良い。
【００８９】
そうすれば、扉取付プレート（Ｂ）の水平片（３）から垂直に突出するロック解除ピン（６）が、上記カムプレート（Ｃ）のピン受け入れ凹溝（５３）に進入係止しつつ、そのカムプレート（Ｃ）を垂直な支点軸（２）の廻りに回動させるため、やがてカムプレート（Ｃ）の突っ張り傾斜カム面（４９）が上記カバーケース（１８）への係止状態（突っ張り状態）を解除されることとなり、カムプレート（Ｃ）とその真上位置のスライドアーム（Ａ）並びに扉（Ｄ）は平面視の直列状態に自づと整合する。
【００９０】
そこで、図５７から図５９のように、扉（Ｄ）を収納空間（Ｏ）の内部へ無理なく確実に押し込み操作することができ、その当初には扉用荷重受け金具（Ｆ）の可動床（５６）に付属している遊転ローラー（６１）も、押し込み操作の円滑化に役立つ。
【００９１】
その扉（Ｄ）を収納空間（Ｏ）へ押し込み操作すれば、上記スライドアーム（Ａ）と連結プレート（Ｊ）を介して連結一体化されているランナー（Ｒ）だけが、第１次的にインナー可動溝レール（Ｓ）に沿って後方へスライドし、やがてインナー可動溝レール（Ｓ）における後端部のランナー受け止めストッパー片（３０）に受け止められるため、その係止状態のままで押し込み操作を続行する。
【００９２】
その場合、ランナー（Ｒ）の転動ローラー（３４）がインナー可動溝レール（Ｓ）における第２溝レール（Ｓ２）の第２内向き凸条（２４）と係合しつつ、安定良く後方へスライドすることになる。（ｒ１）はその第１次的なランナー（Ｒ）の後進スライドストロークを示している。
【００９３】
そうすれば、第２次的にインナー可動溝レール（Ｓ）がアウター固定溝レール（Ｍ）に沿って、更に後方へスライドすることとなり、そのインナー可動溝レール（Ｓ）のストッパー片（２２）がやがてアウター固定溝レール（Ｍ）のストッパー片（１７）に受け止められ、その押し込み終点において停止する。
【００９４】
その場合、インナー可動溝レール（Ｓ）における第１溝レール（Ｓ１）の第１内向き凸条（２３）が、アウター固定溝レール（Ｍ）の転動ローラー（１５）と係合すると共に、同じく第２溝レール（Ｓ２）の転動ローラー（２５）がアウター固定溝レール（Ｍ）の内向き凸条（８）と係合しつつ、後方へ円滑にスライドすることとなる。（ｒ２）はその第２次的なインナー可動溝レール（Ｓ）の後進スライドストロークを示している。
【００９５】
その結果、図５５、５９のような収納空間（Ｏ）に対する扉（Ｄ）の押し込み収納状態を得られ、この開扉状態にある扉（Ｄ）も上記荷重受け金具（Ｆ）によって安定良く受け持つことができる。
【００９６】
他方、図５９の収納状態にある扉（Ｄ）を収納空間（Ｏ）から引き出すこともでき、その扉（Ｄ）を把持して引き出し操作すれば、図６０から図６２のように、上記ランナー（Ｒ）だけが第１次的にインナー可動溝レール（Ｓ）に沿って前方へスライドし、やがてその前端部のピン受け入れ凹溝（３８）がインナー可動溝レール（Ｓ）の第２ピン（２９）と係止するため、その係止状態のままで引き出し操作を続行する。（ｆ１）はその第１次的なランナー（Ｒ）の前進スライドストロークを示している。
【００９７】
そうすれば、第２次的にインナー可動溝レール（Ｓ）がアウター固定溝レール（Ｍ）に沿って、更に前方へスライドすることとなり、そのインナー可動溝レール（Ｓ）の第１ピン（２７）がやがてアウター固定溝レール（Ｍ）に付属しているカバーケース（１８）側の受け止めフック（１９）に受け止められ、その引き出し終点において停止する。（ｆ２）はその第２次的なインナー可動溝レール（Ｓ）の前進スライドストロークを示している。
【００９８】
その結果、図５３、６２のような扉（Ｄ）の引き出し状態を得られるが、そのままでは未だ収納空間（Ｏ）の開扉状態にあるため、その扉（Ｄ）を垂直な支点軸（２）の廻りに９０度（α）だけ回動させて、収納空間（Ｏ）を図５６、６３のような閉扉状態に保つのである。
【図面の簡単な説明】
【００９９】
【図１】本発明における収納空間の閉扉状態を示す全体概略側面図である。
【図２】図１の上側スライド機構を抽出して示す側面図である。
【図３】図２の平面図である。
【図４】図３の４−４線に沿う拡大断面図である。
【図５】図３の５−５線に沿う拡大断面図である。
【図６】図３の６−６線に沿う拡大断面図である。
【図７】図３の７−７線に沿う拡大断面図である。
【図８】図３の８−８線に沿う拡大断面図である。
【図９】図３の９−９線に沿う拡大断面図である。
【図１０】図１の下側スライド機構を抽出して示す側面図である。
【図１１】図１０の平面図である。
【図１２】図１０の１２−１２線に沿う拡大断面図である。
【図１３】図１０の１３−１３線に沿う拡大断面図である。
【図１４】図１１の１４−１４線に沿う拡大断面図である。
【図１５】上側アウター固定溝レールを抽出して示す平面図である。
【図１６】図１５の側面図である。
【図１７】図１６の１７−１７線に沿う拡大断面図である。
【図１８】下側アウター固定溝レールを抽出して示す平面図である。
【図１９】図１８の側面図である。
【図２０】図１９の２０−２０線に沿う拡大断面図である。
【図２１】カバーケースを抽出して示す平面図である。
【図２２】図２１の側面図である。
【図２３】図２２の正面図である。
【図２４】図２２の２４−２４線断面図である。
【図２５】図２３の２５−２５線断面図である。
【図２６】インナー可動溝レールを抽出して示す平面図である。
【図２７】図２６の側面図である。
【図２８】図２７の２８−２８線に沿う拡大断面図である。
【図２９】図２７の２９−２９線に沿う拡大断面図である。
【図３０】ランナーを抽出して示す平面図である。
【図３１】図３０の正面図である。
【図３２】図３１の背面図である。
【図３３】図３０の３３−３３線に沿う拡大断面図である。
【図３４】図３１の３４−３４線に沿う断面図である。
【図３５】上側のスライドアームとカムプレート並びにランナーを組み立て状態の平面図である。
【図３６】図３５の正面図である。
【図３７】図３５の３７−３７線に沿う断面図である。
【図３８】図３６の３８−３８線に沿う拡大断面図である。
【図３９】図３７の３９−３９線に沿う拡大断面図である。
【図４０】下側のスライドアームとカムプレート並びにランナーを組み立て状態の平面図である。
【図４１】図４０の正面図である。
【図４２】図４０の４２−４２線に沿う断面図である。
【図４３】図４１の４３−４３線に沿う拡大断面図である。
【図４４】カムプレートを抽出して示す平面図である。
【図４５】図４４の正面図である。
【図４６】図４５の側面図である。
【図４７】図４４の４７−４７線に沿う断面図である。
【図４８】扉の荷重受け金具を抽出して示す平面図である。
【図４９】図４８の側面図である。
【図５０】図４９の正面図である。
【図５１】図４８の５１−５１線に沿う断面図である。
【図５２】本発明における収納空間の閉扉状態を示す斜視図である。
【図５３】図５２から扉を９０度展開した状態の斜視図である。
【図５４】図５３から扉を押し込む過程の斜視図である。
【図５５】図５４から扉を押し込み収納した状態の斜視図である。
【図５６】収納空間の閉扉状態を示す平面断面図である。
【図５７】図５６から扉を９０度展開した状態の平面断面図である。
【図５８】図５７から扉を押し込んだ過程の平面断面図である。
【図５９】図５８から扉を更に押し込んだ収納状態の平面断面図である。
【図６０】収納状態から扉を引き出す当初の平面断面図である。
【図６１】図６０から扉を引き出す過程の平面断面図である。
【図６２】図６１から扉を更に引き出した開扉状態の平面断面図である。
【図６３】図６２から９０度回動させた閉扉状態の平面断面図である。
【図６４】図５６の上側スライド機構を詳細に示す平面図である。
【図６５】同じく上側スライド機構を詳細に示す平面断面図である。
【図６６】図６５から扉を９０度展開した状態を示す平面断面図である。
【図６７】図６６から扉を第１次的に押し込んだ過程の平面断面図である。
【図６８】図６７から扉を第２次的に押し込んだ過程の平面断面図である。
【図６９】図６５の６９−６９線に沿う拡大断面図である。
【図７０】図６５の７０−７０線に沿う拡大断面図である。
【図７１】下側スライド機構を詳細に示す平面図である。
【図７２】同じく下側スライド機構を詳細に示す平面断面図である。
【図７３】図７２から９０度展開した状態を示す平面断面図である。
【図７４】図７１の７４−７４線に沿う断面図である。
【符号の説明】
【０１００】
（１）・前面開口枠
（２）・回動支点軸
（３）・水平片
（４）・垂直片
（５）・皿ビス
（６）・ロック解除ピン
（７）・化粧カバー
（８）・内向き凸条
（９）・取付ベースプレート
（１０）・天井面
（１１）・サイド壁面
（１２）・床面
（１３）・皿ビス
（１４）・ガイドリップ
（１５）・溝付き転動ローラー
（１６）・ローラー支軸
（１７）・ストッパー片
（１８）・カバーケース
（１９）・受け止めフック
（２０）・支軸
（２１）・コイルバネ
（２２）・ストッパー片
（２３）・第１内向き凸条
（２４）・第２内向き凸条
（２５）・溝付き転動ローラー
（２６）・ローラー支軸
（２７）・第１ピン
（２８）・ネジ脚
（２９）・第２ピン
（３０）・ランナー受け止めストッパー片
（３１）・ランナー本体プレート
（３２）・補強プレート
（３３）・ローラー支軸
（３４）・溝付き転動ローラー
（３５）・ネジ軸
（３６）・前ガイドエッジ
（３７）・後ガイドエッジ
（３８）・ピン受け入れ凹溝
（３９）・垂直片
（４０）・ナット
（４１）・水平片
（４２）・ネジ軸
（４３）・スペーサープレート
（４４）・調整長孔
（４５）・ナット
（４６）・軸受ブッシュ
（４７）・軸受ベアリング
（４８）・取付孔
（４９）・突っ張り傾斜カム面
（５０）・コイルバネ
（５１）・回動ガイド長孔
（５２）・連繋ピン
（５３）・ピン受け入れ凹溝
（５４）・折曲げ片
（５５）・取付座
（５６）・可動床
（５７）・支点軸
（５８）・シュープレート
（５９）・皿ビス
（６０）・ローラー支軸
（６１）・遊転ローラー
（６２）・昇降調整ネジ
（６３）・固定ビス
（Ａ）・スライドアーム
（Ｂ）・扉取付プレート
（Ｃ）・カムプレート
（Ｄ）・扉
（Ｆ）・荷重受け金具
（Ｇ）・コーナー切欠
（Ｊ）・連結プレート
（Ｍ）・アウター固定溝レール
（Ｒ）・ランナー
（Ｓ）・インナー可動溝レール
（Ｓ１）・第１溝レール
（Ｓ２）・第２溝レール
（α）・回動角度
【図１】
2009035858.tif 000003
【図２】
2009035858.tif 000004
【図３】
2009035858.tif 000005
【図４】
2009035858.tif 000006
【図５】
2009035858.tif 000007
【図６】
2009035858.tif 000008
【図７】
2009035858.tif 000009
【図８】
2009035858.tif 000010
【図９】
2009035858.tif 000011
【図１０】
2009035858.tif 000012
【図１１】
2009035858.tif 000013
【図１２】
2009035858.tif 000014
【図１３】
2009035858.tif 000015
【図１４】
2009035858.tif 000016
【図１５】
2009035858.tif 000017
【図１６】
2009035858.tif 000018
【図１７】
2009035858.tif 000019
【図１８】
2009035858.tif 000020
【図１９】
2009035858.tif 000021
【図２０】
2009035858.tif 000022
【図２１】
2009035858.tif 000023
【図２２】
2009035858.tif 000024
【図２３】
2009035858.tif 000025
【図２４】
2009035858.tif 000026
【図２５】
2009035858.tif 000027
【図２６】
2009035858.tif 000028
【図２７】
2009035858.tif 000029
【図２８】
2009035858.tif 000030
【図２９】
2009035858.tif 000031
【図３０】
2009035858.tif 000032
【図３１】
2009035858.tif 000033
【図３２】
2009035858.tif 000034
【図３３】
2009035858.tif 000035
【図３４】
2009035858.tif 000036
【図３５】
2009035858.tif 000037
【図３６】
2009035858.tif 000038
【図３７】
2009035858.tif 000039
【図３８】
2009035858.tif 000040
【図３９】
2009035858.tif 000041
【図４０】
2009035858.tif 000042
【図４１】
2009035858.tif 000043
【図４２】
2009035858.tif 000044
【図４３】
2009035858.tif 000045
【図４４】
2009035858.tif 000046
【図４５】
2009035858.tif 000047
【図４６】
2009035858.tif 000048
【図４７】
2009035858.tif 000049
【図４８】
2009035858.tif 000050
【図４９】
2009035858.tif 000051
【図５０】
2009035858.tif 000052
【図５１】
2009035858.tif 000053
【図５２】
2009035858.tif 000054
【図５３】
2009035858.tif 000055
【図５４】
2009035858.tif 000056
【図５５】
2009035858.tif 000057
【図５６】
2009035858.tif 000058
【図５７】
2009035858.tif 000059
【図５８】
2009035858.tif 000060
【図５９】
2009035858.tif 000061
【図６０】
2009035858.tif 000062
【図６１】
2009035858.tif 000063
【図６２】
2009035858.tif 000064
【図６３】
2009035858.tif 000065
【図６４】
2009035858.tif 000066
【図６５】
2009035858.tif 000067
【図６６】
2009035858.tif 000068
【図６７】
2009035858.tif 000069
【図６８】
2009035858.tif 000070
【図６９】
2009035858.tif 000071
【図７０】
2009035858.tif 000072
【図７１】
2009035858.tif 000073
【図７２】
2009035858.tif 000074
【図７３】
2009035858.tif 000075
【図７４】
2009035858.tif 000076